(57)【要約】【課題】  メガネフレームのリム部に対して、テンプルの位置決めが容易にできるテンプル取付け方法及び、その方法を用いたメガネフレームを提供する。【解決手段】  メガネフレーム１１のリム部１３の両側部の裏面側に設けられた支持穴３３近傍、または、テンプルを取り付ける部材であるテンプル取付け部１８の支持部２１近傍のうち、少なくとも一方を加熱した状態で、支持穴３３に支持部２１を挿入して押し込んで融解し、支持部２１を埋設固定する方法を用いることで、メガネフレーム１１のリム部１３に対して、テンプル３０の位置決めが容易にできる。【選択図】  図２
2006184481.tif 000002
【特許請求の範囲】
【請求項１】
メガネフレームのリム部に、テンプルを取り付けるためのテンプル取付け方法であって、リム部の両側部の裏面側に設けられた支持穴近傍、または、テンプルを取り付ける部材であるテンプル取付け部の支持部近傍のうち、少なくとも一方を加熱した状態で、支持部を支持穴内に挿入して押し込んで融解し、支持穴内に支持部を埋設することで位置決めし、リム部にテンプルを取り付けることを特徴とするテンプル取付け方法。
【請求項２】
請求項１に記載のテンプル取付け方法を用いることを特徴とするメガネフレーム。
【発明の詳細な説明】
【技術分野】
【０００１】
本発明は、リム部にテンプルを取り付けるための方法及びテンプル取付け方法を用いたメガネフレームに関する。
【背景技術】
【０００２】
メガネフレームには様々なタイプのものがあり、例えば、一対の環状のリム部と、両リム部の内縁部間を連結するブリッジと、各リム部の両側部にばね丁番を介して回動自在に連結されるテンプルとを具えたメガネフレームが知られている。
【０００３】
このような構成のメガネフレームにあっては、顔に装着したときに、ばね丁番のばね力によって、テンプルが畳み込む方向へ付勢されることにより、メガネフレームを顔の所定の位置に保持することができるものである（例えば、特許文献１参照。）。
【特許文献１】特開２００３−１８５９８１号公報
【発明の開示】
【発明が解決しようとする課題】
【０００４】
上記のような構成のメガネフレームにあっては、メガネフレームのリム部に対して、テンプルの位置決めが容易にできなかった。
【０００５】
本発明は、上記のような従来の問題を解決したものであって、メガネフレームのリム部に対して、テンプルの位置決めをすることが容易であるテンプル取付け方法及びテンプル取付け方法を用いたメガネフレームを提供することを目的とするものである。
【課題を解決するための手段】
【０００６】
上記のような課題を解決するために、本発明の請求項１に係るテンプル取付け方法は、リム部の両側部の裏面側に設けられる支持穴近傍、または、テンプルを取り付ける部材であるテンプル取付け部の支持部近傍のうち、少なくとも一方を加熱した状態で、支持穴内に支持部を挿入して押し込んで融解し、支持穴内に支持部を埋設することで位置決めをする手段を採用している。
【０００７】
また、本発明の請求項２に係るメガネフレームは、請求項１に記載のテンプル取付け方法を用いる手段を採用している。
【発明の効果】
【０００８】
本発明は、リム部の両側部の裏面側に設けられる支持穴近傍、または、テンプルを取り付ける部材であるテンプル取付け部の支持部近傍のうち、少なくとも一方を加熱した状態で、リム部の支持穴内に支持部を挿入して押し込んで融解し、支持穴内に支持部を埋設する方法を用いることで、メガネフレームのリム部に対して、テンプルの位置決めをすることが容易になる。
【発明を実施するための最良の形態】
【０００９】
以下、図面に示す本発明の実施の形態について説明する。
図１〜図５には、本発明によるテンプル取付け方法及びメガネフレームの実施の形態が示されていて、図１〜図３はテンプル取付け部の構造を示す斜視図、図４はメガネフレームの全体を示す斜視図、図５はノーズパッド取付け部の構造を示す分解斜視図である。
【００１０】
メガネフレーム１１は、図４に示すように、一対の環状のリム部１３、１３と、両リム部１３、１３を一体に連結する棒状のブリッジ１４とで構成される樹脂製のフロント部１２と、フロント部１２の各リム部１３の両側部に取り付けられるテンプル３０とを具えている。
【００１１】
各リム部１３の内側にはレンズを保持するための溝（図示せず）が設けられ、この溝内に視力矯正用等のレンズ（図示せず）を嵌合させることにより、各リム部１３の内側にそれぞれレンズが保持される。
【００１２】
リム部１３の両側部の裏面側とテンプル３０の間には、図１及び図２に示すように、テンプル取付け部１８が設けられている。テンプル取付け部１８は、リム部１３に一対のテンプル３０、３０を取り付けるための構造であって、リム部１３の両側部の裏面側に固定手段にて固定される固定金具１９と、固定金具１９に取り付けられるばね部材２２とを具え、ばね部材２２に丁番２３を介してテンプル３０の一端部が連結される。
【００１３】
リム部１３の両側部の裏面側には、図２に示すように、固定金具１９の支持部２１を挿入するための支持穴３３が設けられており、後述する固定手段を用いるために、支持穴３３は支持部２１よりも浅めに形成されている。
【００１４】
固定金具１９は、図３に示すように、ばね部材２２の一端部が嵌るような接合溝３５が設けられ、略コ形状に形成された本体部２０と、本体部２０の接合溝３５が設けられている面の裏面側から突出し、中央部分に貫通孔３４が設けられ、端部に広がりを有した形状の支持部２１とで構成され、溶接等によって一体に接合される。
【００１５】
固定金具１９の支持部２１をリム部１３に設けられる支持穴３３に固定する手段として、リム部１３の両側部の裏面側に設けられた支持穴３３近傍、または、テンプルを取り付ける部材であるテンプル取付け部１８の支持部２１近傍のうち、少なくとも一方を加熱した状態で、支持部２１を支持穴３３に挿入し、支持穴３３の底面に支持部２１を当接させ、強く押し込むことで、支持穴３３内の樹脂が融解し、支持部２１が支持穴３３内に埋設され、固定される。
【００１６】
支持部２１は、図３に示すように、押し込む端部に広がりを有し、貫通孔３４が設けられた形状をなし、その貫通孔３４に熱によって融解した樹脂が流れ込むことで、支持部２１が支持穴３３内に強固に固定されるが、この貫通孔３４が設けられていなくてもよい。
【００１７】
なお、支持部２１の形状は、図１に示すように、融解した支持穴３３内に押し込むことで、支持部２１が支持穴３３内に強固に固定されるような形状であれば、どのような形状であってもよい。
【００１８】
ばね部材２２は、略Ｓ形状に形成した金属状であって、一端部が固定金具１９の本体部２０の接合溝３５内に溶接等により一体に接合される。なお、ばね部材２２はＳ形状に限定することなく、テンプル３０を畳み込む方向に付勢できる形状であればよい。
【００１９】
ばね部材２２の他端部には固定部２４が形成され、この固定部２４にねじ２９を介して回動自在にテンプル３０の可動部２６が取り付けられ、それらで丁番２３が形成されている。
【００２０】
可動部２６の先端部には可動片２７が設けられ、この可動片２７の中心部にはねじ挿通用の孔３２が貫通した状態で設けられる。可動片２７には、捧状の芯材２８が一体となって構成され、この芯材２８をテンプル３０の中心部に埋設させることにより、可動部２６がテンプル３０の先端部に一体に取り付けられる。
【００２１】
固定部２４の先端部には一対の板状の固定片２５、２５が設けられる。一方の固定片２５の中心部には、ねじ挿通用の孔３１が貫通した状態で設けられ、他方の固定片２５の中心部には、ねじを螺合するためのねじ孔（図示せず）が貫通した状態で設けられている。
【００２２】
固定片２５の周縁部にはストッパー部（図示せず）が設けられ、このストッパー部に可動片２７を当接させることにより、テンプル３０の外方への回動角度が制限される。
【００２３】
可動部２６の可動片２７を、固定部２４の両固定片２５、２５間に挿入し、固定部２４の一方の固定片２５のねじ挿通用の孔３１内にねじ２９を挿通させ、このねじ２９を可動片２７のねじ挿通用の孔３２内に挿通させ、このねじ２９の先端部を他方の固定片２５のねじ孔に螺合させて締め付けることにより、可動部２６と固定部２４とが相対的に回動自在に連結される。
【００２４】
テンプル３０を外方へ回動させて可動片２７を固定片２５のストッパー部に当接させることにより、ばね部材２２の屈曲部が間隔を狭める方向に変形し、このときの屈曲部の復元力により、テンプル３０に内方に押し戻す力が付与される。
【００２５】
フロント部１２の中央部の裏面側には、図５に示すように、支持穴１５が設けられ、その支持穴１５内に挿入固定される支持片３が設けられた固定金具２と、固定金具２に取り付けられる一対のパッド足６、６とで構成されたノーズパッド取付け部１が取り付けられ、そのノーズパッド取付け部１のパッド足６、６にそれぞれノーズパッド１０が取り付けられる。
【００２６】
固定金具２は、円弧板状に形成され、中央部にねじ孔４が設けられた支持片３と、支持片３の弦側に一体に設けられる略ハ形板状のパッド足取付け片５とで構成されている。支持片３とパッド足取付け片５との境界部は略直角に折り曲げられ、支持片３がブリッジ１４の支持穴１５内に挿入される。なお、支持片３は、円弧板状に限定せず、支持穴１５に挿入可能な形状であればよい。
【００２７】
ブリッジ１４の下面側には、支持穴１５に支持片３を固定するための、ねじ挿通用の孔１６が設けられている。このねじ挿通用の孔１６内に、固定手段であるねじ１７を挿通させたのち、支持片３に設けたねじ孔に螺合することで、固定金具２がブリッジ１４に固定される。
【００２８】
パッド足取付け片５の先端部には、一対のパッド足６、６が一体に取り付けられている。各パッド足６は、変形可能な金属製であって、一端部がパッド足取付け片５の先端部に溶接等によって一体に接合される。なお、一対のパッド足６、６を使用せずに、１本のパッド足を略Ｕ形状に屈曲させて、その屈曲させたパッド足６の中央部を溶接等によって固定金具に一体に接合するような形態であってもよい。
【００２９】
各パッド足６の他端部には、金属製の箱状のパッド箱７が溶接等により一体に接合され、このパッド箱７にノーズパッド１０がパッド芯８を介してねじ９により取り付けられる。
【００３０】
上記のような、テンプル取付け方法を用いたメガネフレームにあっては、リム部１３の両側部の裏面側に設けられた支持穴３３近傍、または、テンプル取付け部１８の支持部２１近傍のうち、少なくとも一方を加熱した状態で、支持穴３３内に支持部２１を挿入して押し込んで融解し、支持部２１に設けられた貫通孔３４に融解した樹脂が流れ込み、支持穴３３内に支持部２１が埋設され、固定される。この取付け方法を用いることにより、リム部１３に対して、テンプルの位置決めをすることが容易になる。
【図面の簡単な説明】
【００３１】
【図１】テンプルと連結した支持部をリム部の端部に設けた支持穴内に融解しつつ押し込んで一体とした状態を示す斜視図である。
【図２】リム部とテンプル取付け部とテンプルとの分解斜視図である。
【図３】テンプル取付け部を構成する部材の分解斜視図である。
【図４】メガネフレームを示した斜視図である。
【図５】ノーズパッド取付け部の分解斜視図である。
【符号の説明】
【００３２】
１  ノーズパッド取付け部
２、１９  固定金具
３  支持片
４  ねじ孔（支持片）
５  パッド足取付け片
６  パッド足
７  パッド箱
８  パッド芯
９、１７、２９  ねじ
１０  ノーズパッド
１１  メガネフレーム
１２  フロント部
１３  リム部
１４  ブリッジ
１５、３３  支持穴
１６、３１、３２  ねじ挿通用の孔
１８  テンプル取付け部
２０  本体部
２１  支持部
２２  ばね部材
２３  丁番
２４  固定部
２５  固定片
２６  可動部
２７  可動片
２８  芯材
３０  テンプル
３４  貫通孔
３５  接合溝
【図１】
2006184481.tif 000003
【図２】
2006184481.tif 000004
【図３】
2006184481.tif 000005
【図４】
2006184481.tif 000006
【図５】
2006184481.tif 000007